(57)【特許請求の範囲】
【請求項１】
被圧延材を圧延するワークロールに接して回転し表面に植設されたブラッシで該ワークロールを清掃するブラッシロールにおいて、
前記ブラッシロールは、内部に冷却液の通路となる中空部を有し、この中空部に接続された冷却液吐出口がブラッシの存在範囲にわたり内部より放射状に設けられており、
前記中空部は軸方向に複数領域に区分され、各領域に供給する冷却液の流量を制御する流量制御手段が設けられていることを特徴とするブラッシロール。
【発明の詳細な説明】
【０００１】
【発明の属する技術分野】
本発明は圧延ロールの表面に付着したスケール等を取り除くブラッシロールに関する。
【０００２】
【従来の技術】
アルミニウム等の非鉄金属を圧延する圧延機のワークロールには非鉄金属の酸化物などがスケールとして付着するため、ロールの表面にブラッシを植設したブラッシロールをワークロール表面に回転しながら接触させスケールを除去することが行われている。
【０００３】
図５は従来用いられているブラッシロールを示す図である。アルミニウム等を圧延するワークロール１は両端を軸箱２で軸支され、軸箱２はハウジング３で支持されている。ブラッシロール４はワークロール１に接して回転し、ブラッシでワークロール１の表面に付着しているスケールを除去する。ブラッシロール４の両端を軸支する軸受は軸受支持部５により軸箱２に取付けられた揺動中心ピン６を中心に揺動可能に支持されている。軸受支持部５はハウジング３に固定された圧下シリンダ７により水平方向に押圧され、ブラッシロール４はワークロール１の表面に押し付けられた状態で回転しスケールを除去している。ブラッシはナイロンなどの合成樹脂を材料としているため、ワークロール１の温度に耐えられないので、冷却液吐出ヘッダ８より接触面に冷却液を吐出して冷却している。ブラッシロール４には半周にわたりカバー９が設けられ、冷却液の飛散を防止している。
【０００４】
【発明が解決しようとする課題】
吐出された冷却液はワークロール１と接触している近傍のブラッシに付着するためブラッシロールの円周方向の質量分布にアンバランスが生じブラッシロールに振動が発生する。またこの振動によりワークロール１の表面にはよく光る所とそうでないところがでる。このワークロール１の表面の光沢の差であるむらが圧延材の表面に現れる。また、除去中のスケールの一部はブラッシに付着し蓄積するのでこれを時々除去する必要があった。
【０００５】
本発明は、上述の問題点に鑑みてなされたもので、冷却液の吐出のアンバランスにより発生する振動を防止し、また除去したスケールが付着することの少ないブラッシロールを提供することを目的とする。
【０００６】
【課題を解決するための手段】
上記目的を達成するため、請求項１の発明では、被圧延材を圧延するワークロールに接して回転し表面に植設されたブラッシで該ワークロールを清掃するブラッシロールにおいて、前記ブラッシロールは、内部に冷却液の通路となる中空部を有し、この中空部に接続された冷却液吐出口がブラッシの存在範囲にわたり内部より放射状に設けられており、前記中空部は軸方向に複数領域に区分され、各領域に供給する冷却液の流量を制御する流量制御手段が設けられている。
【０００７】
冷却液はブラッシロール内部の中空部からロール表面に向かって放射状に設けられた冷却液吐出口により放射状にブラッシに吐出される。これによりブラッシの全周にほぼ一様に冷却液が付着するためアンバランスによる振動は発生しない。また内側から放射状に吐出されるので、ブラッシに付着したスケールを洗い流しブラッシにスケールが蓄積するのを防止できる。
また、ワークロールの軸方向の温度分布は一様ではなく、例えば中央で高く、両側で低くなっている。このためブラッシロールの軸方向にわたり中空部を複数の領域に分け、この領域をワークロールの温度分布に対応させ、この温度に応じて各領域の流量を制御することによりブラッシの過熱による損傷を防止することができる。
【００１０】
【発明の実施の形態】
以下、参考例及び本発明の実施の形態について図面を参照して説明する。図１は参考例を示すブラッシロールの縦断面図である。図２は図１のＸ−Ｘ断面図である。
【００１１】
ブラッシロール軸１０には軸芯に沿って中空部１１が設けられており、この中空部１１は冷却液供給路となっている。ブラッシロール軸１０には両端を除いて樹脂製のブラッシ１２が表面に植設されている。このブラッシ１２の範囲にわたり中空部１１から放射状に吐出口１３がブラッシロール軸１０に設けられている。ブラッシロール軸１０の両側には軸受１４が設けられ回転自在に支持する。また、軸受１４の近傍には回転継手１５が設けられ、冷却液を静止した冷却液供給ライン１６から回転するブラッシロール軸１０の中空部１１へ供給する。冷却液供給ライン１６には流量制御弁１７が設けられワークロール１の温度に応じて流量を調整する。
【００１２】
かかる構成により冷却液は中空部１１からブラッシ１２に向かって放射状に吐出されるので、ブラッシ１２の円周方向にほぼ均一となり、アンバランスは生ぜず、回転による振動は発生しない。また冷却液は内側から放射状に吐出されるので、ブラッシ１２に付着したスケールを洗い流す働きをし、スケールがブラッシ１２に蓄積するのを防止する。
【００１３】
次に、本発明の実施の形態について図面を参照して説明する。図３は本発明の実施の形態を示すブラッシロールの縦断面図である。図４は図３のＸ−Ｘ断面図である。本実施の形態は参考例に対してブラッシ１２の存在範囲の中空部１１を軸方向に３個の領域に区分し、それぞれの領域に冷却液の流量を制御して供給するようにしたものである。
【００１４】
ブラッシ１２の存在範囲の中空部１１に仕切壁１８により３個の領域を設け、各領域には回転継手１５より配管を介して冷却液が供給される。各領域にはそれぞれ冷却液供給ライン１６が接続されており、それぞれのライン１６に設けられた流量制御弁１７により、各領域の対応するワークロール１の温度分布に応じた流量を供給する。なお、領域の数は３個としたが、ワークロール１の温度の分布状態により他の数値としてもよい。
【００１５】
かかる構成により参考例の効果に加え、ワークロール１の軸方向の温度分布に応じて適切な冷却液の流量を供給でき、さらに効果的にブラッシ１２の過熱による損傷を防止することができる。
【００１６】
【発明の効果】
以上の説明より明らかなように、本発明は、冷却液をブラッシロール軸の内部から放射状にブラッシに吐出するので、ブラッシに周方向ほぼ均一に付着させ、ブラッシロール軸にアンバランスによる振動が発生するのを防止することができる。これによりワークロールのロール面に洗浄によるむらが発生するのを防止することができる。またブラッシロール軸の中空部を軸方向に複数領域に区分し各領域に対応するワークロールの温度に応じて冷却液の流量を調節することによりブラッシの焼き付きを効果的に防止できる。
【図面の簡単な説明】
【図１】参考例の縦断面図である。
【図２】図１のＸ−Ｘ断面図である。
【図３】本発明の実施の形態の縦断面図である。
【図４】図３のＸ−Ｘ断面図である。
【図５】従来のブラッシロールの冷却液供給方法を示す図である。
【符号の説明】
１ ワークロール
２ 軸箱
３ ハウジング
４ ブラッシロール
１０ ブラッシロール軸
１１ 中空部
１２ ブラッシ
１３ 吐出口
１４ 軸受
１５ 回転継手
１６ 冷却液供給ライン
１７ 流量制御弁
１８ 仕切壁
【図１】
0003608301.tif 000002
【図２】
0003608301.tif 000003
【図３】
0003608301.tif 000004
【図４】
0003608301.tif 000005
【図５】
0003608301.tif 000006